(57)【特許請求の範囲】
【請求項１】
化粧料を収容する容器本体、容器本体と蝶着している蓋体、蓋体の内面に貼付部材で貼り付けられた鏡を備えたコンパクト容器であって、蓋体の内面に貼り付けられた鏡について、貼付部材の厚みＴにより蓋体の内面から離間している鏡の縁辺と貼付部材との距離Ｌが１２ｍｍ以上で、かつ該距離Ｌと貼付部材の厚みＴとの比率Ｌ／Ｔが４０以上となる位置に貼付部材が設けられているコンパクト容器。
【請求項２】
貼付部材が両面粘着シートである請求項１記載のコンパクト容器。
【請求項３】
貼付部材の厚さが０．１〜０．５ｍｍである請求項１又は２記載のコンパクト容器。
【請求項４】
蓋体の内面に貼り付けられた鏡の裏面に、該鏡の縁辺から内側６〜１２ｍｍの領域表示がなされている請求項１〜３のいずれかに記載のコンパクト容器。
【請求項５】
蓋体の内面に貼り付けられた鏡の両側に、三面鏡をなす袖鏡が取り付けられている請求項１〜４のいずれかに記載のコンパクト容器。
【請求項６】
請求項１〜５のいずれかに記載のコンパクト容器の製造方法であって、貼付部材を所定の大きさに切り取り、切り取った貼付部材を、蓋体の内面に貼り付ける鏡の裏面において、貼付部材の厚みＴにより蓋体の内面から離間することとなる鏡の縁辺と貼付部材との距離Ｌが１２ｍｍ以上で、かつ該距離Ｌと貼付部材の厚みＴとの比率Ｌ／Ｔが４０以上となる位置に貼り付け、貼付部材を貼り付けた鏡を蓋体内側の枠体に貼り付けるコンパクト容器の製造方法。
【発明の詳細な説明】
【技術分野】
【０００１】
本発明は、ファンデーション、チーク、アイシャドウ等の化粧料を収容する鏡付のコンパクト容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、中央鏡と袖鏡からなる三面鏡を蓋体の内側に取り付けたものが提案されている（特許文献１、特許文献２）。
【０００３】
【特許文献１】特開２０００-１７５７３８号公報
【特許文献２】登録実用新案第３０２０８９９号公報
【発明の開示】
【発明が解決しようとする課題】
【０００４】
鏡付きのコンパクト容器は、持ち運び時の揺れや、誤って落下させた場合の衝撃により、鏡が破損することがある。特に、三面鏡付のコンパクト容器は、その重さにより、三面鏡のないコンパクト容器に比して、持ち運び時の揺れや誤って落下させた場合の衝撃による鏡の破損がより発生しやすい。
【０００５】
これに対して、本発明は蓋体の内面に鏡が貼着されたコンパクト容器の鏡の破損を防止すること、特に蓋体の内面に貼着された中央鏡と一つ以上の袖鏡を備えた多面鏡付のコンパクト容器、とりわけ三面鏡付のコンパクト容器において、中央鏡の破損を防止することを目的とする。
【課題を解決するための手段】
【０００６】
本発明者は、コンパクト容器の蓋体の内側に両面粘着シート等の貼付部材を用いて鏡を貼り付けるに当たり、鏡の縁辺と貼付部材との距離が特定範囲の場合に鏡が割れやすくなること、したがって、鏡の縁辺と貼付部材との距離が特定範囲とならないように貼付部材の貼付位置を設定することにより鏡が割れにくくなることを見出した。
【０００７】
即ち、本発明は、化粧料を収容する容器本体、容器本体と蝶着している蓋体、蓋体の内面に貼付部材で貼り付けられた鏡を備えたコンパクト容器であって、蓋体の内面に貼り付けられた鏡について、鏡の縁辺と貼付部材との距離が６〜１２ｍｍとならない位置に貼付部材が設けられているコンパクト容器を提供する。
【０００８】
また、本発明は、上述のコンパクト容器の製造方法であって、貼付部材を所定の大きさに切り取り、切り取った貼付部材を、蓋体の内面に貼り付ける鏡の裏面において、該鏡の縁辺と貼付部材との距離が６〜１２ｍｍとならない位置に貼り付け、貼付部材を貼り付けた鏡を蓋体内側の枠体に貼り付けるコンパクト容器の製造方法を提供する。
【発明の効果】
【０００９】
本発明のコンパクト容器によれば、蓋体の内面に貼り付けられた鏡について、鏡の縁辺と貼付部材との距離が６〜１２ｍｍとならない位置に貼付部材が設けられているので、落下等の衝撃に対して、蓋体の内面の鏡の破損を防止することができる。
【００１０】
また、本発明のコンパクト容器の製造方法によれば、上述の本発明のコンパクト容器を簡便に製造することができ、特に、蓋体の内面に貼り付ける鏡として、鏡の裏面に鏡の縁辺から内側６〜１２ｍｍの領域表示がなされている鏡を使用すると、その領域表示を目安にして容易に所定の位置に貼付部材を貼り付けることができる。
【発明を実施するための最良の形態】
【００１１】
以下、図面を参照しつつ、本発明を詳細に説明する。なお、各図中、同一符号は同一又は同等の構成要素を表している。
【００１２】
図１Ａは、三面鏡を備えた本発明の一実施例のコンパクト容器１Ａであって、三面鏡１０を開いた状態の斜視図であり、図１ＢはそのＸ-Ｘ断面図、図１ＣはＸ-Ｘ断面の部分拡大図、図１Ｄは三面鏡をたたみ、蓋体を閉じた状態の断面図である。
【００１３】
このコンパクト容器１Ａは、三面鏡１０、ファンデーション、チーク、アイシャドウ等の化粧料Ａを収容する容器本体２０、及び容器本体２０の開口面を開閉自在に覆う蓋体３０からなり、三面鏡１０は中央鏡１１と左右一対の第１袖鏡１４ａと第２袖鏡１４ｂからなる。これらの鏡１１、１４ａ、１４ｂとしては、それぞれ厚さ０．５〜２ｍｍのガラス鏡を使用することが好ましい。この厚さが薄すぎると鏡に歪みが生じ易く、反対に厚すぎるとコンパクト容器１Ａの小型化、軽量化の要請に応えることが難しくなる。
【００１４】
容器本体２０には、化粧料Ａとスポンジ２１が収容されている。容器本体２０には、この他必要に応じて、はけ、ブラシ等の化粧用具が収容されるようにしてもよい（図示せず）。
【００１５】
蓋体３０は、蓋外側部材３１に中央鏡用枠体１２を接合したものからなり、この中央鏡用枠体１２に中央鏡１１が貼付部材である両面粘着シート４０により貼着されている。また、一対の袖鏡１４ａ、１４ｂは、袖鏡用枠体１５ａ、１５ｂに両面粘着シート４１により貼着されている。これら両面粘着シート４０、４１としては、厚さ０．１〜０．５ｍｍのものが好ましい。両面粘着シート４０、４１の厚さが薄すぎると粘着力が不十分になりやすく、反対に厚すぎるとコンパクト容器１Ａの小型化の要請に応えることが難しくなる。
【００１６】
蓋体３０は、中央鏡１１の下端側で容器本体２０と蝶着している。
【００１７】
また、袖鏡用枠体１５ａ、１５ｂは、中央鏡用枠体１２の両端部の蝶番部材１８ａ、１８ｂに、袖鏡用枠体の蝶番部材１９ａ、１９ｂをピンで掛合することにより蝶着されている。
【００１８】
このコンパクト容器１Ａでは、蓋体３０の内面の鏡、即ち、中央鏡１１について、中央鏡１１の縁辺と両面粘着シート４０との距離Ｌ１、Ｌ２、Ｌ３、Ｌ４が、それぞれ６〜１２ｍｍとならない位置に両面粘着シート４０が設けられていることを特徴としている。図２は、両面粘着シート４０を貼り付けた中央鏡１１の裏面の平面図で、図中、ドットで塗りつぶした領域Ｂは、中央鏡１１の縁辺から内側６〜１２ｍｍの領域であり、この領域Ｂ内に両面粘着シート４０の縁辺が位置した場合に、中央鏡１１の縁辺と両面粘着シート４０との距離が６〜１２ｍｍとなる領域である。
【００１９】
コンパクト容器１Ａの中央鏡１１は、それを正立状態で落下させた場合に比して、倒立状態（即ち、蓋体３０が下側、容器本体２０が上側）で落下させた方が割れやすいところ、上述のように、中央鏡１１の縁辺と両面粘着シート４０との距離を規制することにより、コンパクト容器１Ａを倒立状態で落下させた場合の中央鏡１１の割れ易さを著しく低減させることができる。
【００２０】
この理由は次のように考えられる。即ち、図３Ａに示すように、中央鏡１１の縁辺と両面粘着シート４０との距離Ｌが小さい場合には、落下等の衝撃により両面粘着シート４０の縁と中央鏡１１との接点Ｐ１を中心にして、中央鏡１１を矢印のように撓ませる力は中央鏡１１が割れる程には大きくならないが、図３Ｂに示すように、中央鏡１１の縁辺と両面粘着シート４０との距離Ｌが大きくなると、この距離Ｌに相当する鏡の重さの分だけ、接点Ｐ１を中心にして中央鏡１１を矢印のように撓ませる力が大きくなり、中央鏡１１が割れ易くなる。すなわち、距離Ｌと粘着剤シート４０の厚さＴとの比率Ｌ／Ｔが２０を超えると割れ易くなるので、２０以下にするのが好ましい。図３Ｃに示すように、中央鏡１１の縁辺と両面粘着シート４０との距離Ｌがさらに大きくなり、この距離Ｌと粘着剤シート４０の厚さＴとの比率Ｌ／Ｔが好ましくは４０以上、より好ましくは５０以上となると、接点Ｐ１を中心にして撓んだ中央鏡１１は、接点Ｐ２で中央鏡１１の縁辺が中央鏡用枠体１２に当たり、そこで支持されるため、接点Ｐ１にかかる衝撃力は著しく低減する。したがって、中央鏡１１の縁辺と両面粘着シート４０との距離Ｌがゼロの状態から大きくなるのに伴い、中央鏡１１は端部が割れやすくなり、さらに距離Ｌが大きくなって中央鏡１１の端部が２つの接点Ｐ１、Ｐ２で支持されるようになると、中央鏡１１は割れにくくなる。
【００２１】
図４は、図１のコンパクト容器１Ａ（中央鏡の厚さ１．０ｍｍ、両面粘着剤シート４０の厚さ０．３ｍｍ）を種々の高さから倒立状態でコンクリート製の床へ落下させた場合の、中央鏡１１の縁辺と両面粘着シート４０との距離Ｌと、中央鏡１１が破損する最低の高さ（破損高さ）Ｈとの関係をプロットしたものである。同図から、中央鏡１１の縁辺と両面粘着シート４０との距離Ｌが６〜１２ｍｍとならないように両面粘着テープ４０を貼り付けることにより、破損高さＨを８０ｃｍ程度以上にできること、したがって、通常の机の高さやコンパクト容器を手で持ったときの高さからコンパクト容器を落としても、中央鏡１１が割れにくくなることがわかる。さらに同図から中央鏡１１の縁辺と両面粘着シート４０との距離Ｌを４ｍｍ以下若しくは１３ｍｍ以上にすると、破損高さＨを１２０ｃｍ以上とでき、立っている人がコンパクト容器を顔に近づけた状態からコンパクト容器を落としても、中央鏡１１がさらに割れにくくなることがわかる。
【００２２】
このような距離Ｌの規制を満足する両面粘着シート４０の貼り付け態様としては、図２に示したように一枚の矩形シートを使用する場合、中央鏡１１をより割れにくくするために、中央鏡１１の縁辺と両面粘着シート４０との距離Ｌを６ｍｍよりもゼロに近づけるのに伴い、両面粘着シート４０の全周について中央鏡１１の縁からはみ出ないように貼り付けることが難しくなり、貼り付けの作業性が低下する。また、貼り付けに要する両面粘着シート４０の面積が増え、製品のコストアップがもたらされる。そのため、両面粘着シート４０を中央鏡１１の縁辺から内側１２ｍｍ以上の領域（即ち、図２の領域Ｂの内側）に貼り付けることが好ましい。
【００２３】
上述の距離Ｌの規制を満足する両面粘着シート４０の貼り付け態様としては、短冊形の両面粘着シート４０を使用する場合、図５に示すように、両面粘着シート４０が、中央鏡１１の縁辺から内側６〜１２ｍｍの領域Ｂを跨ぐようにしてもよく、図６に示すように、そのような短冊状の両面粘着シート４０を中央鏡１１の左右両側に設けてもよい。また、図７に示すように、４本の短冊状の両面粘着シート４０を組み合わせ、中央鏡１１の周縁部近傍全周に設けてもよい。
【００２４】
両面粘着シート４０の形状は矩形あるいは短冊状に限らず、中央鏡１１の縁辺と両面粘着シート４０との距離Ｌ１、Ｌ２、Ｌ３、Ｌ４がそれぞれ６〜１２ｍｍの範囲外である限り、例えば図８に示すような形状でもよい。
【００２５】
以上のいずれの態様においても、中央鏡１１の裏面における両面粘着シート４０の合計の面積は、両面粘着シート４０の粘着力にもよるが、通常、中央鏡１１の面積の１５％以上とすることが好ましい。
【００２６】
また、貼付部材としては、両面粘着シート４０の他、ゲル状接着剤等も使用することができる。ただし、図３Ｃに示したように、貼付部材の厚みＴが中央鏡１１の破損し易さに影響することから、厚みのばらつきの少ないものが好ましく、取り扱いの容易性の点からも両面粘着シートが好ましい。中でも、所定幅の両面粘着テープが好ましい。
【００２７】
本発明のコンパクト容器は、中央鏡１１とその両側の袖鏡１４ａ、１４ｂからなる三面鏡付のコンパクト容器１Ａに限らず、蓋体の内面の鏡と一つの袖鏡からなる二面鏡付のコンパクト容器や、袖鏡をもたず、蓋体の内面にのみ鏡を備えた一面鏡付のコンパクト容器に構成することもできる。三面鏡付のコンパクト容器に構成した場合には、一面鏡や二面鏡に比して鏡全体の重量が重くなり、落下等の衝撃で蓋内面の鏡が割れやすくなるから、本発明の構成は特に有効である。
【００２８】
本発明のコンパクト容器は、貼付部材を所定の大きさに切り取り、切り取った貼付部材を、蓋体の内面の鏡の縁辺と貼付部材との距離が６〜１２ｍｍとならない位置に貼り付け、貼付部材を貼り付けた鏡を蓋体内側の枠体に貼り付けることにより製造することができる。この場合、中央鏡１１裏面に、予め中央鏡１１の縁辺から内側６〜１２ｍｍの領域Ｂを印刷、凹凸等により領域表示しておくこと、この領域表示を目安にして容易に貼付部材を所期の位置に貼り付けることができるので作業効率が高まり、好ましい。
【産業上の利用可能性】
【００２９】
本発明のコンパクト容器は、ファンデーション、チーク、アイシャドウ等の化粧料を収
容する容器として有用である。
【図面の簡単な説明】
【００３０】
【図１Ａ】本発明のコンパクト容器において、三面鏡を開いた状態の斜視図である。
【図１Ｂ】図１Ａのコンパクト容器のＸ-Ｘ断面図である。
【図１Ｃ】図１Ａのコンパクト容器のＸ-Ｘ断面図の部分拡大図である。
【図１Ｄ】図１Ａのコンパクト容器において、三面鏡をたたみ、蓋体を閉じた状態の断面図である。
【図２】中央鏡の裏面に両面粘着シートを貼り付けた状態を裏面より見た平面図である。
【図３Ａ】中央鏡の縁辺と両面粘着シートとの距離Ｌと、中央鏡の割れやすさとの関係を示す断面図である。
【図３Ｂ】中央鏡の縁辺と両面粘着シートとの距離Ｌと、中央鏡の割れやすさとの関係を示す断面図である。
【図３Ｃ】中央鏡の縁辺と両面粘着シートとの距離Ｌと、中央鏡の割れやすさとの関係を示す断面図である。
【図４】中央鏡の縁辺と両面粘着シートとの距離Ｌと、中央鏡が破損する最低の高さ（破損高さ）Ｈとの関係図である。
【図５】中央鏡の裏面に両面粘着シートを貼り付けた状態を裏面より見た平面図である。
【図６】中央鏡の裏面に両面粘着シートを貼り付けた状態を裏面より見た平面図である。
【図７】中央鏡の裏面に両面粘着シートを貼り付けた状態を裏面より見た平面図である。
【図８】中央鏡の裏面に両面粘着シートを貼り付けた状態を裏面より見た平面図である。
【符号の説明】
【００３１】
１Ａ  コンパクト容器
１０    三面鏡
１１    中央鏡
１２    中央鏡用枠体
１４ａ、１４ｂ    袖鏡
１５ａ、１５ｂ    袖鏡用枠体
１８ａ、１８ｂ    蝶番部材
１９ａ、１９ｂ    蝶番部材
２０    容器本体
２１    スポンジ
３０    蓋体
３１    蓋外側部材
４０    両面粘着シート
４１    両面粘着シート
Ａ    化粧料
Ｂ    中央鏡の縁辺から内側６〜１２ｍｍの領域
Ｐ１，Ｐ２    接点
【図１Ａ】
0004748312.tif 000002
【図１Ｂ】
0004748312.tif 000003
【図１Ｃ】
0004748312.tif 000004
【図１Ｄ】
0004748312.tif 000005
【図２】
0004748312.tif 000006
【図３Ａ】
0004748312.tif 000007
【図３Ｂ】
0004748312.tif 000008
【図３Ｃ】
0004748312.tif 000009
【図４】
0004748312.tif 000010
【図５】
0004748312.tif 000011
【図６】
0004748312.tif 000012
【図７】
0004748312.tif 000013
【図８】
0004748312.tif 000014